(57)【要約】【課題】本発明は、放電セル内の壁電荷を消去させるためのプラズマディスプレイ装置及びその駆動方法を提供するためのものである。【解決手段】本発明は、スキャン電極及びサステイン電極を含むプラズマディスプレイ装置の駆動方法であって、前記サステイン電極にリセット期間の以前に基準電圧レベルから漸進的に立ち下がる第１パルスを供給することを特徴とする。【選択図】図４
2007058220.tif 000002
【特許請求の範囲】
【請求項１】
スキャン電極及びサステイン電極を含むプラズマディスプレイ装置の駆動方法であって、
前記サステイン電極にリセット期間の以前に基準電圧レベルから漸進的に立ち下がる第１パルスを供給することを特徴とするプラズマディスプレイ装置の駆動方法。
【請求項２】
前記第１パルスの最低値は、
実質的にスキャン電圧レベルと同一であることを特徴とする請求項１に記載のプラズマディスプレイ装置の駆動方法。
【請求項３】
前記第１パルスの最低値は、
実質的にセットダウン電圧レベルと同一であることを特徴とする請求項１に記載のプラズマディスプレイ装置の駆動方法。
【請求項４】
前記第１パルスの供給時間は、５０ｕｍ以上１５０ｕｍ以下であることを特徴とする請求項１に記載のプラズマディスプレイ装置の駆動方法。
【請求項５】
前記第１パルスは、
グラウンド電圧レベルからスキャン電圧レベルまで立ち下がることを特徴とする請求項１に記載のプラズマディスプレイ装置の駆動方法。
【請求項６】
前記第１パルスの傾きは、
リセット波形のセットダウンパルスの傾きと実質的に同一であることを特徴とする請求項１に記載のプラズマディスプレイ装置の駆動方法。
【請求項７】
前記第１パルスが供給される間、前記スキャン電極に前記基準電圧が供給されることを特徴とする請求項１に記載のプラズマディスプレイ装置の駆動方法。
【請求項８】
スキャン電極及びサステイン電極を含むプラズマディスプレイ装置の駆動方法であって、
前記サステイン電極にリセット期間の以前に基準電圧レベルから立ち下がる第１パルスを供給するステップと、
前記サステイン電極に前記第１パルスが供給される間、前記スキャン電極に前記基準電圧を維持するステップと、
前記スキャン電極及び前記サステイン電極のうち、少なくとも１つ以上に前記リセット期間にリセット波形を供給するステップと、
を含むことを特徴とするプラズマディスプレイ装置の駆動方法。
【請求項９】
前記リセット波形は、
セットアップパルスとセットダウンパルスを含むことを特徴とする請求項８に記載のプラズマディスプレイ装置の駆動方法。
【請求項１０】
前記リセット期間において、前記スキャン電極と前記サステイン電極の電位差により放電が生じることを特徴とする請求項９に記載のプラズマディスプレイ装置の駆動方法。
【請求項１１】
前記リセット期間において、前記スキャン電極に前記セットアップパルスを供給した後、前記セットダウンパルスを供給し、前記サステイン電極は基準電圧レベルを維持することを特徴とする請求項１０に記載のプラズマディスプレイ装置の駆動方法。
【請求項１２】
前記リセット期間において、前記スキャン電極と前記スキャン電極に交差するように形成されるアドレス電極との電位差により放電が生じることを特徴とする請求項９に記載のプラズマディスプレイ装置の駆動方法。
【請求項１３】
前記リセット期間において、前記スキャン電極及び前記サステイン電極で前記セットアップパルスを供給した後、前記セットダウンパルスを供給することを特徴とする請求項１２に記載のプラズマディスプレイ装置の駆動方法。
【請求項１４】
前記第１パルスの供給時間は、
５０ｕｍ以上１５０ｕｍ以下であることを特徴とする請求項８に記載のプラズマディスプレイ装置の駆動方法。
【請求項１５】
スキャン電極及びサステイン電極を含むプラズマディスプレイパネルと、
前記サステイン電極にリセット期間の以前に基準電圧レベルから漸進的に立ち下がる第１パルスを供給する駆動部と、
を含むことを特徴とするプラズマディスプレイ装置。
【請求項１６】
前記第１パルスの最低値は、
実質的にスキャン電圧レベルまたはセットダウン電圧レベルと同一であることを特徴とする請求項１５に記載のプラズマディスプレイ装置。
【請求項１７】
前記第１パルスの供給時間は、
５０ｕｍ以上１５０ｕｍ以下であることを特徴とする請求項１５に記載のプラズマディスプレイ装置。
【請求項１８】
前記第１パルスは、
グラウンド電圧レベルからスキャン電圧レベルまで立ち下がることを特徴とする請求項１５に記載のプラズマディスプレイ装置。
【請求項１９】
前記第１パルスの傾きは、
リセット波形のセットダウンパルスの傾きと実質的に同一であることを特徴とする請求項１５に記載のプラズマディスプレイ装置。
【請求項２０】
前記第１パルスが供給される間、前記スキャン電極に前記基準電圧が供給されることを特徴とする請求項１５に記載のプラズマディスプレイ装置。
【発明の詳細な説明】
【技術分野】
【０００１】
本発明は、ディスプレイ装置に関し、より詳しくは、プラズマディスプレイ装置及びその駆動方法に関する。
【背景技術】
【０００２】
プラズマディスプレイ装置は、一般的に画像を表示するプラズマディスプレイパネルとプラズマディスプレイパネルを駆動させるための駆動部がプラズマディスプレイパネルの背面に取り付けられて形成される。
【０００３】
一般に、プラズマディスプレイパネルは、前面パネルと後面パネルとの間に形成された隔壁が１つの単位放電セルをなすものであって、各セル内には、ネオン（Ｎｅ）、ヘリウム（Ｈｅ）またはネオン及びヘリウムの混合気体（Ｎｅ+Ｈｅ）のような主放電気体と少量のキセノンを含有する不活性ガスが充填されている。前述した単位放電セルは複数個が集まって１つの画素（Pixel）をなす。例えば、赤色（Red、Ｒ）セル、緑色（Green、Ｇ）セル、青色（Blue、Ｂ）セルが集まって１つのピクセルをなすものである。
【０００４】
このような単位放電セルに高周波電圧が印加されて放電される際、不活性ガスは真空紫外線（Vacuum Ultra Violet rays）を発生し、隔壁間に形成された蛍光体を発光させて画像が具現される。
【０００５】
プラズマディスプレイパネルは、複数の電極、例えばスキャン電極（Ｙ）、サステイン電極（Ｚ）及びアドレス電極（Ｘ）を含み、このようなプラズマディスプレイパネルの電極に駆動電圧を供給するための駆動部が各々の電極に接続される。
【０００６】
各駆動部は、プラズマディスプレイパネル駆動時、所定期間に、例えばリセット期間にリセットパルス、アドレス期間にスキャンパルス、サステイン期間にサステインパルスのような駆動パルスをプラズマディスプレイパネルの電極に供給して画像を具現することになるものである。このようなプラズマディスプレイ装置は、軽量薄型の構成が可能であるので、現在、表示装置として脚光を浴びている。
【０００７】
一方、前記したパルスを各電極に供給してプラズマディスプレイ装置を駆動することにおいて、種々なる要因によって駆動の信頼性が低下することがある。
【０００８】
例えば、プラズマディスプレイパネルの電極に印加される駆動パルスは放電を発生させて画像を具現することになるが、このような駆動パルスは放電現象と深い関連がある。即ち、駆動パルスの種々なる要因によって壁電荷状態が変わることになり、それによって、誤放電が発生する問題点が生じることがある。このため、プラズマディスプレイ装置の駆動条件を最適化させるための研究は続けて進行されている。
【発明の開示】
【発明が解決しようとする課題】
【０００９】
本発明の目的は、放電セル内の壁電荷を消去させるためのプラズマディスプレイ装置及びその駆動方法を提供することにある。
【課題を解決するための手段】
【００１０】
本発明の一実施形態に係るプラズマディスプレイ装置の駆動方法は、スキャン電極及びサステイン電極を含むプラズマディスプレイ装置の駆動方法であって、前記サステイン電極にリセット期間の以前に基準電圧レベルから漸進的に立ち下がる第１パルスを供給することを特徴とする。
【００１１】
前記第１パルスの最低値は、実質的にスキャン電圧レベルと同一であることを特徴とする。
【００１２】
前記第１パルスの最低値は、実質的にセットダウン電圧レベルと同一であることを特徴とする。
【００１３】
前記第１パルスの供給時間は５０ｕｍ以上１５０ｕｍ以下であることを特徴とする。ここで、ｕｍはマイクロメートルを意味する。以下同様。
【００１４】
前記第１パルスは、グラウンド電圧レベルからスキャン電圧レベルまで立ち下がることを特徴とする。
【００１５】
前記第１パルスの傾きは、リセット波形のセットダウンパルスの傾きと実質的に同一であることを特徴とする。
【００１６】
前記第１パルスが供給される間、前記スキャン電極に前記基準電圧が供給されることを特徴とする。
【００１７】
本発明の他の実施形態に係るプラズマディスプレイ装置の駆動方法は、スキャン電極及びサステイン電極を含むプラズマディスプレイ装置の駆動方法であって、前記サステイン電極にリセット期間の以前に基準電圧レベルから立ち下がる第１パルスを供給するステップと、前記サステイン電極に前記第１パルスが供給される間、前記スキャン電極に前記基準電圧を維持するステップと、前記スキャン電極及び前記サステイン電極のうち、少なくとも１つ以上に前記リセット期間にリセット波形を供給するステップと、を含む。
【００１８】
前記リセット波形は、セットアップパルスとセットダウンパルスを含むことを特徴とする。
【００１９】
前記リセット期間に前記スキャン電極と前記サステイン電極の電位差により放電が生じることを特徴とする。
【００２０】
前記リセット期間において、前記スキャン電極に前記セットアップパルスを供給した後、前記セットダウンパルスを供給し、前記サステイン電極は一定電圧レベルを維持することを特徴とする。
【００２１】
前記リセット期間において、前記スキャン電極と前記スキャン電極に交差するように形成されるアドレス電極との電位差により放電が生じることを特徴とする。
【００２２】
前記リセット期間において、前記スキャン電極及び前記サステイン電極に前記セットアップパルスを供給した後、前記セットダウンパルスを供給することを特徴とする。
【００２３】
前記第１パルスの供給時間は、５０ｕｍ以上１５０ｕｍ以下であることを特徴とする。
【００２４】
本発明の一実施形態に係るプラズマディスプレイ装置は、スキャン電極及びサステイン電極を含むプラズマディスプレイパネルと、前記サステイン電極にリセット期間の以前に基準電圧レベルから漸進的に立ち下がる第１パルスを供給する駆動部と、を含む。
【００２５】
前記第１パルスの最低値は、実質的にスキャン電圧レベルまたはセットダウン電圧レベルと同一であることを特徴とする。
【００２６】
前記第１パルスの供給時間は、５０ｕｍ以上１５０ｕｍ以下であることを特徴とする。
【００２７】
前記第１パルスは、グラウンド電圧レベルからスキャン電圧レベルまで立ち下がることを特徴とする。
【００２８】
前記第１パルスの傾きは、リセット波形のセットダウンパルスの傾きと実質的に同一であることを特徴とする。
【００２９】
前記第１パルスが供給される間、前記スキャン電極に前記基準電圧が供給されることを特徴とする。
【発明の効果】
【００３０】
本発明のプラズマディスプレイ装置及びその駆動方法は、放電の正確度を向上させることができる効果が得られる。
【００３１】
また、本発明の係るプラズマディスプレイ装置及びその駆動方法は、リセット期間の以前に立下りパルスを供給することによって、より效果的に放電セルの壁電荷を消去させることができ、均一化することができる。これによって、誤放電を防止して駆動の信頼性を向上させることができる効果がある。また、スキャン電極（Ｙ）及びサステイン電極（Ｚ）、両電極に全て印加することと比較して、サステイン電極（Ｚ）のみに立下りパルスを印加することによって、別途の電源を必要としない等、駆動を簡単化することができる効果が得られる。
【００３２】
また、リセット期間前の立下りパルスにより、リセット期間の立下りパルスで発生するリセット放電が最適化される。これにより、ブラック輝度を低めてコントラスト特性を改善させる効果が得られる。
【発明を実施するための最良の形態】
【００３３】
図１は、本発明のプラズマディスプレイ装置の一例を示す図である。
【００３４】
図１に示すように、本発明の一実施形態に係るプラズマディスプレイ装置は、外部から入力される映像データを映像処理して画像が具現されるプラズマディスプレイパネル１００と、プラズマディスプレイパネル１００に形成された電極に駆動パルスを供給するための駆動部とを含むことができる。例えば、駆動部は、アドレス電極（Ｘ１乃至Ｘｍ）にデータを供給するためのデータ駆動部１２２と、スキャン電極（Ｙ１乃至Ｙｎ）を駆動するためのスキャン駆動部１２３と、共通電極であるサステイン電極（Ｚ）を駆動するためのサステイン駆動部１２４と、各々の駆動部を制御するためのコントロール部１２１と、各々の駆動部１２２、１２３及び１２４に必要な駆動電圧を供給するための駆動電圧発生部１２５とを含む。
【００３５】
プラズマディスプレイパネル１００は、前面基板（図示していない）と後面基板（図示していない）が一定の間隔を置いて合着され、前面基板には、一例として多数の電極、例えば、スキャン電極（Ｙ１乃至Ｙｎ）及びサステイン電極（Ｚ）が対をなして形成され、後面基板にはスキャン電極（Ｙ１乃至Ｙｎ）及びサステイン電極（Ｚ）と交差するようにアドレス電極（Ｘ１乃至Ｘｍ）が形成される。
【００３６】
ここで、本発明の理解を助けるために、プラズマディスプレイパネルの構造の一例を詳細に説明すれば、次の図２の通りである。
【００３７】
図２は、本発明のプラズマディスプレイパネル構造の一例を示す図である。
【００３８】
図２に示すように、プラズマディスプレイパネルは、一例として画像がディスプレイされる表示面である前面基板２０１にスキャン電極（２０２、Ｙ）とサステイン電極（２０３、Ｚ）が対をなして形成された複数の維持電極対が配列された前面パネル２００及び背面をなす後面基板２１１上に前述した複数の維持電極対と交差するように複数のアドレス電極（２１３、Ｘ）が配列された後面パネル２１０が一定距離を置いて平行するように結合される。
【００３９】
前面パネル２００は、一例として１つの放電セルで相互放電させ、セルの発光を維持するためのスキャン電極（２０２、Ｙ）及びサステイン電極（２０３、Ｚ）、即ち透明なＩＴＯ物質で形成された透明電極（２０２ａ、２０３ａ）と金属材質で製作されたバス電極（２０２ｂ、２０３ｂ）で備えられたスキャン電極（２０２、Ｙ）及びサステイン電極（２０３、Ｚ）が対をなして含まれることができる。また、透明電極（２０２ａ、２０３ａ）だけで、また、バス電極（２０２ｂ、２０３ｂ）だけで形成することも可能である。スキャン電極（２０２、Ｙ）及びサステイン電極（２０３、Ｚ）は放電電流を制限し、電極対間を絶縁させる１つ以上の上部誘電体層２０４により覆われ、上部誘電体層２０４の上面には放電条件を容易にするために、一例として酸化マグネシウム（ＭｇＯ）を蒸着した保護層２０５が形成される。
【００４０】
後面パネル２１０は、一例として複数個の放電空間、即ち、放電セルを形成させるためのストライプタイプまたはウェルタイプの隔壁２１２が平行を維持して配列される。また、アドレス放電を遂行して真空紫外線を発生させる多数のアドレス電極（２１３、Ｘ）が隔壁２１２に対し平行するように配置される。後面パネル２１０の上側面にはアドレス放電の際、画像表示のための可視光線を放出するＲ、Ｇ、Ｂ蛍光体２１４が塗布される。アドレス電極（２１３、Ｘ）と蛍光体２１４との間にはアドレス電極（２１３、Ｘ）を保護するための下部誘電体層２１５が形成される。
【００４１】
このように形成された前面パネル２００と後面パネル２１０がシーリング工程を通じて合着されてプラズマディスプレイパネルが形成される。そして、このようなプラズマディスプレイパネルには複数の電極、例えばスキャン電極（２０２、Ｙ）、サステイン電極（２０３、Ｚ）及びアドレス電極（２１３、Ｘ）の電極を駆動するための駆動部が取り付けられてプラズマディスプレイ装置をなす。
【００４２】
このような本発明のプラズマディスプレイ装置を駆動する方式について説明すれば、次の図３の通りである。
【００４３】
図３は、本発明のプラズマディスプレイ装置の画像階調を具現する方法の一例を示す図である。
【００４４】
図３に示すように、プラズマディスプレイパネルに画像を具現させるために、本発明のプラズマディスプレイ装置は、１つのフレームを複数のサブフィールドに分けて駆動することができる。例えば、各サブフィールドを全てのセルを初期化させるためのリセット期間、放電されるセルを選択するためのアドレス期間及び放電回数によって階調を具現するサステイン期間に分けて駆動することができる。
【００４５】
例えば、２５６階調に画像を表示しようとする場合に、１／６０秒に該当するフレーム期間（１６．６７ｍｓ）は複数個、一例として８個のサブフィールド（ＳＦ１乃至ＳＦ８）に分けられることになる。８個のサブフィールド（ＳＦ１乃至ＳＦ８）の各々は、前述したように、リセット期間（ＲＰ）、アドレス期間（ＡＰ）及びサステイン期間（ＳＰ）に分けられる。この際、各サブフィールドのリセット期間（ＲＰ）とアドレス期間（ＡＰ）は各サブフィールド毎に同一な反面、サステイン期間とそれに割り当てられるサステインパルスの数は変わることができる。一例として、各サブフィールドで２ｎ（ｎ=０、１、２、３、４、５、６、７）の割合で増加して階調表現をすることができる。
【００４６】
このように、プラズマディスプレイ装置の基本的なパネル構造の一例と画像を具現する駆動方法の一例を説明した。以下、図１の本発明のプラズマディスプレイ装置の一例を続けて説明する。
【００４７】
図１の本発明の一実施形態に係るプラズマディスプレイ装置は、前述したプラズマディスプレイパネル１００と、各々の駆動部１２２、１２３及び１２４と、各々の駆動部を制御するためのコントロール部１２１と駆動電圧発生部１２５とを含む。
【００４８】
データ駆動部１２２は、図示しない逆ガンマ補正回路、誤差拡散回路などにより逆ガンマ補正及び誤差拡散された後、サブフィールドマッピング回路によりあらかじめ設定されたサブフィールドパターンにマッピングされたデータが供給される。このデータ駆動部１２２は、コントロール部１２１の制御下にデータをサンプリングし、ラッチした後、そのデータによってデータパルスの電圧をアドレス電極（Ｘ１乃至Ｘｍ）に供給する。
【００４９】
スキャン駆動部１２３は、コントロール部１２１の制御下にリセット期間の間スキャン電極（Ｙ１乃至Ｙｎ）にリセット波形を印加して、全画面に対応する放電セルを初期化する。即ち、スキャン駆動部１２３は、リセット波形をスキャン電極（Ｙ１乃至Ｙｎ）に供給した後、アドレス期間でスキャン基準電圧（Ｖｓｃ）を供給し、スキャン基準電圧（Ｖｓｃ）から負極性レベルに立ち下がるスキャンパルスの電圧を供給してスキャン電極ラインをスキャンする。
【００５０】
また、スキャン駆動部１２３は、サステイン期間の間、アドレス期間で選択されたセルでサステイン放電が生じることができるようにするサステインパルスをスキャン電極（Ｙ１乃至Ｙｎ）に供給する。
【００５１】
サステイン駆動部１２４は、コントロール部１２１の制御下に、サステイン期間の間、スキャン駆動部１２３と交互に動作してサステインパルスをサステイン電極（Ｚ）に供給する。
【００５２】
ここで、本発明の一実施にに係る駆動部は、サステイン電極Ｚにリセット期間の以前に基準電圧レベルから漸進的に立ち下がる第１パルスを供給することができる。例えば、サステイン駆動部１２４は、サステイン電極（Ｚ）にリセット期間の以前に基準電圧レベルから漸進的に立ち下がる第１パルスを供給することができる。
【００５３】
サステイン駆動部１２４は、サステイン電極（Ｚ）に第１パルスの最低値が実質的に前述したスキャンパルスの電圧レベル、またはリセット波形のうち、セットダウン電圧レベルと同一であるように供給することができる。また、サステイン駆動部１２４は、グラウンド電圧レベルからスキャン電圧レベルまで立ち下がる第１パルスを供給することができる。また、サステイン駆動部１２４は、第１パルスの傾きがリセット波形のセットダウンパルスの傾きと実質的に同一であるように供給することができる。サステイン駆動部１２４は、第１パルスを５０ｕｍ以上１５０ｕｍ以下の時間の間、供給することができる。
【００５４】
このように、第１パルスがサステイン電極（Ｚ）に供給される間、例えばスキャン駆動部１２３はスキャン電極（Ｙ）に基準電圧を供給することができる。このような本発明の特徴は、図４以下で詳細に後述する。
【００５５】
コントロール部１２１は、垂直／水平同期信号を入力受けて、各駆動部に必要なタイミング制御信号（ＣＴＲＸ、ＣＴＲＹ、ＣＴＲＺ）を発生し、そのタイミング制御信号（ＣＴＲＸ、ＣＴＲＹ、ＣＴＲＺ）を該当駆動部１２２、１２３及び１２４に供給することによって、各駆動部１２２、１２３及び１２４を制御する。データ駆動部１２２に印加されるタイミング制御信号（ＣＴＲＸ）には、データをサンプリングするためのサンプリングクロック、ラッチ制御信号、エネルギー回収回路と駆動スイッチ素子のオン／オフタイムを制御するためのスイッチ制御信号が含まれる。
【００５６】
スキャン駆動部１２３に印加されるタイミング制御信号（ＣＴＲＹ）には、スキャン駆動部１２３内のエネルギー回収回路と駆動スイッチ素子のオン／オフタイムを制御するためのスイッチ制御信号が含まれる。サステイン駆動部１２４に印加されるタイミング制御信号（ＣＴＲＺ）には、サステイン駆動部１２４内のエネルギー回収回路と駆動スイッチ素子のオン／オフタイムを制御するためのスイッチ制御信号が含まれる。
【００５７】
駆動電圧発生部１２５は、一例として、サステイン電圧（Ｖｓ）、スキャン基準電圧（Ｖｓｃ）、データ電圧（Ｖａ）、スキャン電圧（−Ｖｙ）等の各駆動部１２２、１２３及び１２４で必要とする各種駆動電圧を発生する。このような駆動電圧は放電ガスの組成や放電セル構造によって変わることができる。
【００５８】
以下、図面を参照して本発明の実施形態に係るプラズマディスプレイ装置の駆動波形を説明する。
【００５９】
図４は、本発明の第１実施形態に係るプラズマディスプレイ装置の駆動波形を示す図である。
【００６０】
図４に示すように、プラズマディスプレイパネルは、全てのセルを初期化させるためのリセット期間、放電するセルを選択するためのアドレス期間及び選択されたセルの放電を維持させるためのサステイン期間に分けて駆動される。
【００６１】
リセット期間の以前に基準電圧レベルから漸進的に立ち下がる第１パルス（Erase_down）がサステイン電極（Ｚ）に供給されて、全画面のセル内に残留する壁電荷を消去させることになる。即ち、リセット期間の以前に全ての放電セルの壁電荷が消失できるようにする。全ての放電セルの壁電荷状態を均一にしてリセット放電が效果的に生じることができるようにして放電の正確度を向上させることができるものである。ここで、基準電圧レベルはグラウンド（ＧＮＤ）であり得る。
【００６２】
ここで、第１パルス（Erase_down）の最低値は、実質的にスキャン電圧レベル（−Ｖｙ）と同一に設定して放電を安定化することができる。例えば、第１パルス（Erase_down）は、グラウンド電圧レベル（ＧＮＤ）からスキャン電圧レベル（−Ｖｙ）まで下降するようにすることができる。また、第１パルス（Erase_down）の供給時間（ｔ１）は５０ｕｍ以上１５０ｕｍ以下であるようにすることができる。
【００６３】
また、第１パルス（Erase_down）がサステイン電極（Ｚ）に供給される間、スキャン電極（Ｙ）に基準電圧（ＧＮＤ）が供給されるようにして、より效果的に放電セル内の壁電荷が消去できるようにすることができる。
【００６４】
リセット期間において、本発明の第１実施形態では、スキャン電極（Ｙ）とサステイン電極（Ｚ）に電位差を発生させて、面放電によるリセット放電を生じる。例えば、リセット期間には全てのスキャン電極（Ｙ）にセットアップパルス（Set-Up）とセットダウンパルス（Set-down）を含むリセット波形を印加する。即ち、リセット期間のセットアップ期間にはスキャン電極（Ｙ）にセットアップパルス（Set-Up）の電圧（Vset_up）を同時に印加し、サステイン電極（Ｚ）は一定電圧レベルを維持するようにして、両電極間に電位差を発生させる。これによって、全画面の放電セル内には弱い暗放電（Dark Discharge）が生じる。この際、リセット期間の以前に第１パルス（Erase_down）によりサステイン電極（Ｚ）に正電荷が積まれて面放電がより效果的に発生するようにする。これによって、リセット放電が正確に発生するようにして、放電セルの壁電荷状態を最適化させることができる。
【００６５】
セットダウン期間には、セットアップパルス（Set-Up）が供給された後において、セットアップパルス（Set-Up）のピーク電圧（Vset_up）より低い正極性電圧から落ち始めて特定の電圧レベルまで落ちるセットダウンパルス（Set-down）がセル内に微弱な消去放電を起こすことによって、スキャン電極（Ｙ）に過度に形成された壁電荷を十分に消去させることになる。このセットダウン放電によりアドレス放電が安定するように生じることができる程度の壁電荷がセル内に均一に残留される。
【００６６】
アドレス期間には、負極性スキャンパルス（Scan）がスキャン電極（Ｙ）に順次に印加されると共に、スキャンパルス（Scan）に同期されてアドレス電極（Ｘ）に正極性のデータパルス（Data）が印加される。このスキャンパルス（Scan）とデータパルス（Data）の電圧差とリセット期間に生成された壁電圧が加えられながらデータパルス（Data）が印加される放電セル内にはアドレス放電が生じる。アドレス放電により選択されたセル内にはサステイン電圧（Ｖｓ）が印加される際、放電が生じられるようにする程度の壁電荷が形成される。サステイン電極（Ｚ）にはセットダウン期間またはアドレス期間のうち、１つ以上の期間でスキャン電極との電圧差を減らしてスキャン電極との誤放電が生じないように正極性電圧（Ｖｚ）が供給される。
【００６７】
サステイン期間には、スキャン電極（Ｙ）とサステイン電極（Ｚ）に交互にサステインパルス（Sus）が印加される。アドレス放電により選択されたセルはセル内の壁電圧とサステインパルスが加えられながら、毎サステインパルスが印加される度にスキャン電極とサステイン電極との間にサステイン放電、即ち、表示放電が生じることになる。
【００６８】
図５は、本発明の第２実施形態に係るプラズマディスプレイ装置の駆動波形を示す図である。
【００６９】
図５に示すように、プラズマディスプレイパネルは、全てのセルを初期化させるためのリセット期間、放電するセルを選択するためのアドレス期間、選択されたセルの放電を維持させるためのサステイン期間に分けて駆動される。
【００７０】
リセット期間の以前に基準電圧レベルから漸進的に立ち下がる第１パルス（Erase_down）がサステイン電極（Ｚ）に供給されて全画面のセル内に残留する壁電荷を消去させることになる。即ち、リセット期間の以前に全ての放電セルの壁電荷が消失できるようにすることができる。これは、全ての放電セルの壁電荷状態を均一にしてリセット放電が效果的に発生するようにして放電の正確度を向上させることができるものである。ここで、基準電圧レベルはグラウンド（ＧＮＤ）であり得る。
【００７１】
ここで、第１パルス（Erase_down）の最低値は実質的にセットダウン電圧レベル（Vset_down）と同一に設定して放電を安定化することができる。例えば、第１パルス（Erase_down）はグラウンド電圧レベル（ＧＮＤ）からスキャン電圧レベル（−Ｖｙ）まで下降するようにすることができる。そして、第１パルス（Erase_down）の傾きはリセット波形のセットダウンパルス（Set_down）の傾きと実質的に同一であるようにして駆動を簡素化することができる。
【００７２】
また、第１パルス（Erase_down）がサステイン電極（Ｚ）に供給される間、スキャン電極（Ｙ）に基準電圧（ＧＮＤ）が供給されるようにして、より效果的に放電セル内の壁電荷が消去できるようにすることができる。
【００７３】
リセット期間において、本発明の第２実施形態では、スキャン電極（Ｙ）とアドレス電極（Ｘ）に電位差を発生させて対向放電によるリセット放電を起こす。例えば、リセット期間には全てのスキャン電極（Ｙ）にセットアップパルス（Set-Up）とセットダウンパルス（Set-down）を含むリセット波形を印加する。即ち、リセット期間のセットアップ期間にスキャン電極（Ｙ）及びサステイン電極（Ｚ）にセットアップパルス（Set-Up）の電圧（Vset_up）を同時に印加してスキャン電極（Ｙ）とアドレス電極（Ｘ）との間に電位差を発生させる。これによって、全画面の放電セル内には弱い暗放電（Dark Discharge）が生じる。
【００７４】
セットダウン期間には、セットアップパルス（Set-Up）が供給された後において、スキャン電極（Ｙ）及びサステイン電極（Ｚ）にセットアップパルス（Set-Up）のピーク電圧（Vset_up）より低い正極性電圧から落ち始めて特定電圧レベルまで落ちるセットダウンパルス（Set-down）を供給してセル内に微弱な消去放電を起こすことによって、放電セル内の過度に形成された壁電荷を十分に消去させることになる。このセットダウン放電によりアドレス放電が安定するように生じられる程度の壁電荷がセル内に均一に残留される。
【００７５】
アドレス期間には、負極性スキャンパルス（Scan）がスキャン電極（Ｙ）に順次に印加されると共に、スキャンパルス（Scan）に同期されてアドレス電極（Ｘ）に正極性のデータパルス（Data）が印加される。このスキャンパルス（Scan）とデータパルス（Data）の電圧差とリセット期間に生成された壁電圧が加えられながらデータパルス（Data）が印加される放電セル内にはアドレス放電が生じる。アドレス放電により選択されたセル内にはサステイン電圧（Ｖｓ）が印加される時に放電が生じることができるようにする程度の壁電荷が形成される。サステイン電極（Ｚ）は一定電圧、例えば、基準電圧レベルを維持する。
【００７６】
サステイン期間には、スキャン電極（Ｙ）とサステイン電極（Ｚ）に交互にサステインパルス（Sus）が印加される。アドレス放電により選択されたセルはセル内の壁電圧とサステインパルスが加えられながら毎サステインパルスが印加される度にスキャン電極とサステイン電極との間にサステイン放電、即ち、表示放電が生じることになる。
第２実施形態では、スキャン電極及びサステイン電極の両方に同一形状のリセットパルスを印加することにより、第１実施形態より確実に、放電セル内の壁電荷状態を最適化できる。第２実施形態では、対向放電でリセット放電を起こす。すなわちスキャン電極とアドレス電極、サステイン電極とアドレス電極との間で生じる放電として放電セル内の壁電荷状態を効果的に初期化させる。すなわち放電セル内で放電が均一に生じるようにすることができるのである。
【００７７】
以上のように、本発明に係るプラズマディスプレイ装置を例示した図面を参照して説明したが、本発明は明細書に開示された実施形態と図面により限るのでなく、技術思想が保護される範囲内で応用されることができる。
【図面の簡単な説明】
【００７８】
【図１】本発明のプラズマディスプレイ装置の一例を示す図である。
【図２】本発明のプラズマディスプレイパネル構造の一例を示す図である。
【図３】本発明のプラズマディスプレイ装置の画像階調を具現する方法の一例を示す図である。
【図４】本発明の第１実施形態に係るプラズマディスプレイ装置の駆動波形を示す図である。
【図５】本発明の第２実施形態に係るプラズマディスプレイ装置の駆動波形を示す図である。
【符号の説明】
【００７９】
１００    プラズマディスプレイパネル
１２１    コントロール部
１２２    データ駆動部
１２３    スキャン駆動部
１２４    サステイン駆動部
１２５    駆動電圧発生部
２００    前面パネル
２１０    後面パネル
２１２    隔壁
２１３    アドレス電極
２１４    蛍光体
２１５    下部誘電体層
【図１】
2007058220.tif 000003
【図２】
2007058220.tif 000004
【図３】
2007058220.tif 000005
【図４】
2007058220.tif 000006
【図５】
2007058220.tif 000007